(57)【要約】【課題】水分や埃等への耐候性が得られると共に、車体に取り付けたままで第三者のアクセスを防止できるＥＴＣ通信装置を提供する。【解決手段】ＥＴＣの車載器５０および通信アンテナ６０を、フロントカウル６とヘッドパイプ３との間に配設する。車載器５０は緩衝部材５５を介して車載器取付ステー５７に取り付け、通信アンテナ６０は緩衝部材６５を介して通信アンテナ取付ステー６７に取り付ける。通信アンテナ６０は、所定のアンテナ面６１ａを車体前方に向けて取り付ける。メータユニット１５の周囲に配設されるメータパネル２０によって、該メータパネル２０とフロントカウル６との間に閉空間を形成すると、車載器５０および通信アンテナ６０の耐候性がさらに高められて第三者によるアクセスを効果的に防止できる。表示器７０は、種々のＥＴＣ情報が表示される表示部を乗員側に向けてフロントカウル６の上端部に取り付ける。【選択図】図４
2008143448.tif 000002
【特許請求の範囲】
【請求項１】
少なくともハンドル回りを覆うフロントカウルを有する自動二輪車に取り付けられるＥＴＣ通信装置において、
前記ＥＴＣ通信装置が、車載器と通信アンテナとを含み、
前記車載器および通信アンテナは、車体フレームの前端に位置するヘッドパイプより前方領域に含まれ、かつ前記フロントカウルで囲まれた空間に配設されていることを特徴とするＥＴＣ通信装置。
【請求項２】
前記車載器が車載器用台座に取り付けられており、
前記通信アンテナが通信アンテナ用台座に取り付けられていることを特徴とする請求項１に記載のＥＴＣ通信装置。
【請求項３】
前記車載器および通信アンテナが、前記車載器用台座および通信アンテナ用台座に、それぞれ緩衝部材を介して取り付けられていることを特徴とする請求項２に記載のＥＴＣ通信装置。
【請求項４】
前記通信アンテナは、通信電波の電界強度が最大となる所定のアンテナ面が進行方向に指向するように取り付けられていることを特徴とする請求項１ないし３のいずれかに記載のＥＴＣ通信装置。
【請求項５】
種々のＥＴＣ情報が表示される表示部を乗員側に向けると共に、前記フロントカウルの上端部に取り付けられる表示器をさらに具備していることを特徴とする請求項１ないし４のいずれかに記載のＥＴＣ通信装置。
【請求項６】
前記空間には、前記自動二輪車のメータユニットの左右いずれかで、かつ前記フロントカウルの裏面側との間に閉空間が形成され、
前記車載器および通信アンテナをこの閉空間に配設することで、前記車載器および前記通信アンテナが外部から隔絶されるように構成されていることを特徴とする請求項１ないし５のいずれかに記載のＥＴＣ通信装置。
【請求項７】
前記閉空間に、開閉可能かつ閉状態で施錠可能な蓋部材が取り付けられていることを特徴とする請求項６に記載のＥＴＣ通信装置。
【発明の詳細な説明】
【技術分野】
【０００１】
本発明は、ＥＴＣ通信装置に係り、特に、フロントカウルを有する自動二輪車への取り付けに適し、水分や埃等への耐候性が得られると共に、車体に取り付けたままで第三者のアクセス（接触や操作、取り外し）を防止できるＥＴＣ通信装置に関する。
【背景技術】
【０００２】
近年、高速道路等の料金所ゲートに設置したアンテナと、車両に装着した通信装置との間で行われる無線通信によって自動的に料金を支払い、料金所をノンストップで通過できるようにしたＥＴＣ（Ｅｌｅｃｔｒｏｎｉｃ  Ｔｏｏｌ  Ｃｏｌｌｅｃｔｉｏｎ）システムの運用が進んでいる。ＥＴＣの利用に必要な通信装置は、主に、ＥＴＣカードが挿入される車載器と、料金所ゲートのアンテナと無線通信を行う通信アンテナとからなる。この通信装置を自動二輪車に取り付ける際には、外部と遮蔽された車内空間に設置できる４輪自動車とは異なり、水分や埃等に対する耐候性や、乗員以外の第三者によるアクセスの防止等に対する配慮が必要となる。
【０００３】
特許文献１には、ＥＴＣの利用に必要な通信装置を、自動二輪車のバックミラーのケーシングに内蔵し、該ケーシングを車体に対して着脱可能とした構成が開示されている。このような構成によれば、通信装置がケーシング内に収納されることで耐候性が得られると共に、降車時にはケーシングを取り外して携帯することで、第三者によるアクセスを防ぐことが可能となる。
【特許文献１】特開２００４−３４５３８４号公報
【発明の開示】
【発明が解決しようとする課題】
【０００４】
しかしながら、特許文献１の構成では、通信装置の取付スペースを確保するためにケーシングのデザインが制限され、また、自動二輪車から降車する毎にケーシングを取り外す必要があるという課題があった。
【０００５】
本発明の目的は、上記した従来技術の課題を解決し、フロントカウルを有する自動二輪車への取り付けに適し、水分や埃等への耐候性が得られると共に、車体に取り付けたままで第三者のアクセス（接触や操作、取り外し）を防止できるＥＴＣ通信装置を提供することにある。
【課題を解決するための手段】
【０００６】
前記した目的を達成するために、本発明は、少なくともハンドル回りを覆うフロントカウルを有する自動二輪車に取り付けられるＥＴＣ通信装置において、前記ＥＴＣ通信装置が、車載器と通信アンテナとを含み、前記車載器および通信アンテナは、車体フレームの前端に位置するヘッドパイプより前方領域に含まれ、かつ前記フロントカウルで囲まれた空間に配設されている点に第１の特徴がある。
【０００７】
また、前記車載器が車載器用台座に取り付けられており、前記通信アンテナが通信アンテナ用台座に取り付けられている点に第２の特徴がある。
【０００８】
また、前記車載器および通信アンテナが、前記車載器用台座および通信アンテナ用台座に、それぞれ緩衝部材を介して取り付けられている点に第３の特徴がある。
【０００９】
また、前記通信アンテナが、通信電波の電解強度が最大となる所定のアンテナ面が進行方向に指向するように取り付けられている点に第４の特徴がある。
【００１０】
また、種々のＥＴＣ情報が表示される表示部を乗員側に向けると共に、前記フロントカウルの上端部に取り付けられる表示器をさらに具備している点に第５の特徴がある。
【００１１】
また、前記空間には、前記自動二輪車のメータユニットの左右いずれかで、かつ前記フロントカウルの裏面側との間に閉空間が形成され、前記車載器および通信アンテナをこの閉空間に配設することで、前記車載器および前記通信アンテナが外部から隔絶されるように構成されている点に第６の特徴がある。
【００１２】
さらに、前記閉空間に、開閉可能かつ閉状態で施錠可能な蓋部材が取り付けられている点に第７の特徴がある。
【発明の効果】
【００１３】
第１の発明によれば、ＥＴＣ通信装置の車載器および通信アンテナが、車体フレームの前端に位置するヘッドパイプより前方領域に含まれ、かつフロントカウルで囲まれた空間に配設されているので、車載器および通信アンテナが、外気中の水分や埃、紫外線等から保護されるようになる。また、フロントカウルとヘッドパイプとの間の空間には、メータユニット等の補機類が存在するために外部からアクセスしにくいので、車載器および通信アンテナへの第三者のアクセスを防ぐことが可能となる。さらに、通信アンテナが車体の前方かつ上方に配設されることで、ＥＴＣ料金所等に設置される固定アンテナとの無線通信を良好に行うことができるようになる。また、車載器および通信アンテナが外部から視認されなくなるので、自動二輪車の外観性を高めることが可能となる。
【００１４】
第２の発明によれば、車載器が、フロントカウルの裏面側に設けられた車載器用台座に取り付けられており、通信アンテナが、フロントカウルの裏面側に設けられた通信アンテナ用台座に取り付けられているので、車載器および通信アンテナを、それぞれフロントカウルに安定的に固定できるようになる。
【００１５】
第３の発明によれば、車載器および通信アンテナが、車載器用台座および通信アンテナ用台座にそれぞれ緩衝部材を介して取り付けられているので、車載器および通信アンテナに、エンジンの振動や走行による振動が伝達されるのを防ぐことが可能となる。
【００１６】
第４の発明によれば、通信アンテナは、通信電波の電解強度が最大となる所定のアンテナ面が進行方向に指向するように取り付けられているので、ＥＴＣ料金所等に設置される固定アンテナとの無線通信をより良好に行うことが可能となる。
【００１７】
第５の発明によれば、種々のＥＴＣ情報が表示される表示部を乗員側に向けると共に、フロントカウルの上端部に取り付けられる表示器をさらに具備しているので、着座時の視線に近い位置に配設される表示器によって、各種のＥＴＣ情報の認識を容易に行うことが可能となる。
【００１８】
第６の発明によれば、空間には、自動二輪車のメータユニットの左右いずれかで、かつフロントカウルの裏面側との間に閉空間が形成され、車載器および通信アンテナをこの閉空間に配設することで、車載器および通信アンテナが外部から隔絶されるように構成されているので、車載器および通信アンテナの耐候性が格段に高められると共に、第三者のアクセスを回避することが効果的に防止可能となる。
【００１９】
第７の発明によれば、閉空間に、開閉可能かつ閉状態で施錠可能な蓋部材が取り付けられているので、例えば、ＥＴＣカードの車載器への挿入・取り出しを行う場合には、乗員が任意に車載器を操作できると共に、蓋部材を施錠することで第三者によるアクセスを防止することが可能となる。
【発明を実施するための最良の形態】
【００２０】
以下、図面を参照して本発明の好ましい実施の形態について詳細に説明する。図１は、本発明を適用した自動二輪車の一実施形態の側面図である。自動二輪車１の車体フレーム２の前端部には、左右一対のフロントフォーク４の上部に連結されるステムシャフト（不図示）を軸支するパイプ状のヘッドパイプ３が結合されている。前輪ＷＦが回転自在に軸支されているフロントフォーク４は、前記ステムシャフトに連結されるハンドル５によって操舵可能とされている。ヘッドパイプ３の車体前方には、樹脂製の薄板等で形成されると共に、上部に無色透明のスクリーン７が取り付けられた風防装置としてのフロントカウル６が配設されている。また、前照灯装置としてのヘッドライトユニット８は、フロントカウル６の車体前方側に形成された開口部からレンズ部が臨むように取り付けられている。車体フレーム２の下方には、後輪ＷＲの駆動源であるエンジン９が取り付けられており、その後方には、燃焼ガスを車体後方へ導くマフラ１４が配設されている。また、車体フレーム２の後方かつ上方には、前側シート１０および同乗者が着座する後側シート１１が配設されており、車体の後端部には収納ボックスとしてのトップケース１２および左右一対のパニアケース１３が取り付けられている。そして、本発明に係るＥＴＣ通信装置を構成する車載器５０は、前記フロントカウル６の裏面側かつヘッドライトユニット８の上方の位置に配設されている。
【００２１】
図２は、本発明の一実施形態に係るＥＴＣ通信装置を示す斜視図である。本実施形態に係るＥＴＣ通信装置は、ＥＴＣカード５４に記録された情報を読み取るカードリーダおよび無線通信機としての車載器５０と、高速道路等の料金所に設置される固定アンテナと無線通信を行うための通信アンテナ６０と、車載器５０の作動状況や無線通信の状態を通知する表示器７０とから構成されている。
【００２２】
本実施形態に係る車載器５０は、スリット状の挿入口５２が形成された本体５１に、車載電源へ連結される電源コード５３を取り付けた構成とされており、ＥＴＣを利用して料金所を通過する際には、ＥＴＣカード５４を挿入口５２に挿入したまま走行することとなる。また、車載器５０に連結されるアンテナコード６２が取り付けられると共に、略直方体の本体６１を有する通信アンテナ６０は、所定の一面に設けられたアンテナ面６１ａからの通信電波の電界強度が最大となり、このアンテナ面６１ａと垂直な一方向に指向性を有するように構成されている。さらに、略直方体に形成される表示器７０は、電源コード７４が取り付けられた本体７１の一面に赤色ＬＥＤ（発光ダイオード）７２および緑色ＬＥＤ７３が配設され、他の一面には、車載器５０の作動状況や無線通信の状態を音声によって乗員に知らせるスピーカ７５が備えられている。
【００２３】
図３は、ＥＴＣ通信装置の配設箇所を示す一部透過斜視図である。また、図４は、ＥＴＣ通信装置の配設箇所を示す一部透過側面図である。前記と同一符号は、同一または同等部分を示す。前記したように、左右一対のヘッドライトユニット８は、フロントカウル６の車体前方側に形成された開口部からそのレンズ面８ａのみが外方に臨むように構成されている。ヘッドパイプ３の前端部にはライトステー１６が取り付けられ、ヘッドライトユニット８およびメータユニット１５は、該ライトステー１６によって車体側に固定されている。本実施形態では、前記ヘッドパイプ３とフロントカウル６との間に形成される空間内において、ヘッドライトユニット８の車幅方向右側の上方に車載器５０が配設され、ヘッドライトユニット８の車幅方向中央の上方に通信アンテナ６０が配設されている。
【００２４】
フロントカウル６の裏面側には、車載器用台座としての車載器取付ステー５７が設けられており、この車載器取付ステー５７に、ゴムやウレタン等で形成される緩衝部材５５を介して車載器５０が取り付けられている。車載器５０は、図示するように、前記挿入口５２（図２参照）が形成される面を乗員側を向けるように配設すると、乗員によるＥＴＣカード５４の挿入および取り出し作業を簡単に行うことができるようになる。
【００２５】
上記したように、車載器５０および通信アンテナ６０の配設箇所をフロントカウル６とヘッドパイプ３との間に設定すると、フロントカウル６によって外気中の水分や埃、紫外線等から車載器５０および通信アンテナ６０を保護することが可能となる。また、フロントカウル６とヘッドパイプ３との間の空間には、メータユニット１５等の補機類が存在するために外部から手等を入れにくいので、車載器５０および通信アンテナ６０を第三者によるアクセスから守ることができるようになる。なお、車載器５０の配設箇所は、例えば、図中に破線で示すように、ヘッドライトユニット８の車幅方向左側の上方や下方等、ヘッドパイプ３とフロントカウル６との間における任意の箇所に設定することが可能である。
【００２６】
また、車載器取付ステー５７の上方には、通信アンテナ用台座としての通信アンテナ取付ステー６７が設けられており、該通信アンテナ取付ステー６７に、緩衝部材６５を介して通信アンテナ６０が取り付けられている。このような取付位置によれば、通信用のアンテナが車体の前方かつ上方に配設されることで、ＥＴＣ料金所等に設置された固定アンテナとの無線通信を良好に行うことができるようになる。また、図示するように、アンテナ面６１ａを鉛直方向に沿わせることで、送信電波が車体進行方向に強い指向性を生じることとなり、さらに良好な無線通信を行うことが可能となる。なお、アンテナ面６１ａの向きは、自動二輪車１の大きさやフロントカウル６の形状等によって任意に変更可能である。
【００２７】
上記した車載器取付ステー５７および通信アンテナ取付ステー６７の形状や材質等は、上記した実施形態に限られず種々の変形が可能であり、例えば、フロントカウル６と一体的に形成したり、また、金属製の別体式部品をフロントカウル６の裏面側にネジ等の締結部材で取り付ける構成としてもよい。さらに、車載器取付ステーと通信アンテナ取付ステーとを一体的に形成することもできる。
【００２８】
また、前記表示器７０は、乗員が赤色ＬＥＤ７２および緑色ＬＥＤ７３（図２参照）が取り付けられた表示面を乗員側に向けて、フロントカウル６の車幅方向中央の上端部に取り付けられている。なお、赤色ＬＥＤ７２および緑色ＬＥＤは、例えば、ＥＴＣカード５４が車載器５０に未挿入であったり、何らかの原因で無線通信が不通となった場合等に赤色側が点滅または点灯し、一方、動作が正常に行われる際には、緑色側が点滅または点灯することで、乗員に車載器５０の各種作動情報を提供することができる。また、スピーカ７５からは、前記ＬＥＤの点灯動作に合わせて「ＥＴＣカードが挿入されていません」等の警告や、料金所の通過時に「料金は○○円です」等のアナウンスを音声出力することができる。さらに、表示器７０は、乗員が高速料金等を目視で認識できるように、液晶画面や７セグメント式の表示装置を備えるようにしてもよい。
【００２９】
なお、ＥＴＣ通信装置の構成は、上記した実施形態に限られず種々の変形が可能であり、例えば、車載器と通信アンテナと表示器とを一体的に構成したり、また、車載器と通信アンテナとを一体的に構成すると共に表示器を別体式としたり、さらに、車載器と表示器とを一体的に構成すると共に通信アンテナを別体式とする構成としてもよい。なお、メータユニット１５に接してその周囲に配設される板状のメータパネル２０に関しては後述する。
【００３０】
図５は、本発明の一実施形態に係る自動二輪車の一部拡大上面図である。前記と同一の符号は、同一または同等部分を示す。前側シート１０の車体前方側には、燃料タンクの給油口リッド１９が設けられている。また、ハンドル５の車体前方側にはメータユニット１５が配設されており、該メータユニット１５の上部に前記表示器７０が取り付けられている。本実施形態では、乗員の走行時の目線に近いメータユニット１５の上部かつフロントカウル６の上端部に表示器７０を配設することで、乗員からの被視認性を高めている。なお、表示器７０は、ハンドル５の左右スイッチボックス１８Ｌ，１８Ｒに取り付けたり、また、ＬＥＤ等からなる表示部のみをメータユニット１５の文字盤に内蔵すると共に、警告音声等を出力するイヤホンを備えるなど、種々の変形が可能である。
【００３１】
前記フロントカウル６は、乗員に走行風が当たらないよう、ハンドル５の全体を覆うような幅広い形状とされる風防装置であり、車体フレーム２等の車体構成部品とフロントカウル６との間には所定の隙間が形成される。本実施形態において、この所定の隙間を車体上方から覆うように取り付けられているのが、メータユニット１５の周囲に配設されるメータパネル２０である。そして、このメータパネル２０を配設することで、該メータパネル２０とフロントカウル６との間に、外部と隔絶された閉空間が形成されることとなる。本実施形態では、車載器５０および通信アンテナ６０をこの閉空間に配設することにより、外気の水分や埃に対する耐候性が得られることとなる。
【００３２】
また、車載器５０および通信アンテナ６０を乗員以外の第三者によるアクセスから守るためには、乗員が所有する車両のメインキーを使用しなければメータパネル２０を取り外すことができない構造とすることが効果的である。一方、車載器５０に挿入するＥＴＣカード５４には複数の個人情報等が記憶されているので、自動二輪車１から離れる際には、車載器５０からＥＴＣカード５４を取り外して携帯することが好ましい。これを実現するためには、メータパネル２０の一部に車両のメインキー等で施錠できる蓋部材としての開閉蓋１７Ｒを設けることが効果的である。このような構成によれば、車両のメインキー等をキーシリンダ１７ａに挿入して開閉蓋１７Ｒを開くことで、乗員が任意にＥＴＣカード５４を挿入・取り外しすることが可能となる。そして、自動二輪車１から降車する際には開閉蓋１７Ｒを施錠しておけば、車載器５０および通信アンテナ６０の第三者によるアクセスの防止も確実に行うことが可能となる。なお、本実施形態では、車幅方向右側の所定の箇所に開閉蓋１７Ｒを形成したが、例えば、車体左側に開閉蓋１７Ｌを形成したり、その他の任意の箇所に形成することができる。
【００３３】
なお、前記メータパネルは、フロントカウルの裏面側との間に外部と隔絶された閉空間を形成するものであればよく、上記実施形態のような形状や形態に限られず、種々の変形が可能であることは勿論である。
【図面の簡単な説明】
【００３４】
【図１】本発明の一実施形態に係る自動二輪車の側面図である。
【図２】本発明の一実施形態に係るＥＴＣ通信装置を示す斜視図である。
【図３】本発明の一実施形態に係るＥＴＣ通信装置の配設箇所を示す一部透過斜視図である。
【図４】本発明の一実施形態に係るＥＴＣ通信装置の配設箇所を示す一部透過側面図である。
【図５】本発明の一実施形態に係る自動二輪車の一部拡大上面図である。
【符号の説明】
【００３５】
２…車体フレーム、３…ヘッドパイプ、６…フロントカウル、８…ヘッドライトユニット、８ａ…レンズ面、１５…メータユニット、１６…ライトステー、２０…メータパネル、５０…車載器、５５…緩衝部材、５７…車載器取付ステー（車載器取付台座）、６０…通信アンテナ、６５…緩衝部材、６７…通信アンテナ取付ステー（通信アンテナ取付台座）、７０…表示器
【図１】
2008143448.tif 000003
【図２】
2008143448.tif 000004
【図３】
2008143448.tif 000005
【図４】
2008143448.tif 000006
【図５】
2008143448.tif 000007